(57)【要約】【課題】  真珠に貴金属や宝石を埋め込む為の加工を施し、貴金属や宝石を埋め込んだ装飾真珠を提供することを目的とする。【解決手段】  真珠の表面に宝石や貴金属を埋め込み易くする方法として、レーザーマーカー、サンドブラスト、ドリリングマシーン、グラインダー、ルーター、ミーリングなどを用いて真珠の表面を削ったり、宝石や貴金属を埋め込む為の貫通しない穴を作ったり、また、宝石や貴金属を埋め込む為の溝を真珠の表面に掘ったりする。【選択図】  図１
0003163798.tif 000002
【実用新案登録請求の範囲】
【請求項１】
真珠の表面にマスキングを施し、ガラス、シルバー、プラチナ、ジルコニア、金などの貴金属や、エメラルド、ルビー、サファイヤ、アメジスト、オパール、トパーズ、ペリドット、アクアマリン、シトリン、アメトリン、ガーネット、ツァボライト、デマントイド、マンダリンガーネット、トルマリン、ルベライトトルマリン、グリーントルマリン、パライバトルマリン、イエロートルマリン、ブルートルマリン、マルチカラートルマリン、タンザナイト、ラピスラズリー、サファイヤ、クォーツ、ヒスイ、ジルコン、アイオライト、スピネル、ファイヤーオパール、ムーンストーン、アレキサンドライト、クリソベリル、クンツアイト、ベリル、モルガナイト、クロムダイオプサイド、アンダルサイト、琥珀、トルコ石、サンゴ、アゲート、オニックス、ブラッドストーン、ジャスパー、パール、ダイヤモンドなどの宝石を埋め込み易いように、レーザーマーカー、サンドブラスト、ドリリングマシーン、グラインダー、ルーター、ミーリングなどを用いて上記真珠の表面を加工することにより、上記真珠に上記貴金属又は上記宝石の装飾が施されたことを特徴とする装飾真珠。
【考案の詳細な説明】
【技術分野】
【０００１】
本考案は、装飾真珠に係り、更に詳しくは、貴金属や宝石の装飾を施した装飾真珠の改良に関する。
【背景技術】
【０００２】
球形が使用するための常識である真珠は、そのままの形、若しくは、表面を磨いたものを単体で指輪やネックレスやイヤリングとして使う為に、せいぜい表面を研磨するか、ネックレスのように複数個を繋げる為に、真珠に貫通穴を設けてあるが、基本的に、真珠その物の価値を損なう事無く、単体、若しくは複数個使う為の加工が施されてあった。
【考案の概要】
【考案が解決しようとする課題】
【０００３】
従来の真珠は、そのままの球体、若しくはそのままの真珠の形を繋いで、若しくは単体で指輪として使用する事を常識としていた。自然に近い形のままで使う事に価値が有るという常識があり、真珠の種類によっては、表面の研磨程度はなされていたが、表面に他の貴金属や宝石を埋め込んだ真珠の装飾品は無く、規格外とされてきた真珠は全て廃棄処分とされていた。また、真珠その物の需要が随分減ってきている。これは、真珠そのものを使おうとする真珠のアクセサリーのデザイン性の限界に一因が或る。
【０００４】
本考案は、上記の事情に鑑みてなされたものであり、真珠に他の貴金属や宝石を埋め込む為の加工を施す事により、他の貴金属や宝石を埋め込むデザイン性や付加価値を付けることにより、廃棄処分となる真珠の利用を可能とすることを目的とする。また、多様なデザインを可能とし新しい購買のマーケットを開くことを目的とする。
【課題を解決するための手段】
【０００５】
本考案による真珠は、真珠の表面にマスキングを施し、ガラス、シルバー、プラチナ、ジルコニア、金などの貴金属や、エメラルド、ルビー、サファイヤ、アメジスト、オパール、トパーズ、ペリドット、アクアマリン、シトリン、アメトリン、ガーネット、ツァボライト、デマントイド、マンダリンガーネット、トルマリン、ルベライトトルマリン、グリーントルマリン、パライバトルマリン、イエロートルマリン、ブルートルマリン、マルチカラートルマリン、タンザナイト、ラピスラズリー、サファイヤ、クォーツ、ヒスイ、ジルコン、アイオライト、スピネル、ファイヤーオパール、ムーンストーン、アレキサンドライト、クリソベリル、クンツアイト、ベリル、モルガナイト、クロムダイオプサイド、アンダルサイト、琥珀、トルコ石、サンゴ、アゲート、オニックス、ブラッドストーン、ジャスパー、パール、ダイヤモンドなどの宝石を埋め込み易いように、レーザーマーカー、サンドブラスト、ドリリングマシーン、グラインダー、ルーター、ミーリングなどを用いて上記真珠の表面を加工することにより、上記真珠に上記貴金属又は上記宝石の装飾が施されて構成される。また、漆などの塗料を表面に塗布する装飾を施す場合もある。
【０００６】
この様な構成によれば、真珠の表面を加工して、他の貴金属や宝石を当該表面に埋め込み易くするので、容易に他の貴金属や宝石の装飾を施すことができる。このため、真珠に多様なデザイン性や付加価値を付けることができる。
【考案の効果】
【０００７】
真珠の表面にマスキングを施し、レーザーマーカー、サンドブラスト、ドリリングマシーン、グラインダー、ルーターなどを用いてガラス、シルバー、プラチナ、ジルコニア、金などの貴金属や、エメラルド、ルビー、サファイヤ、アメジスト、オパール、トパーズ、ペリドット、アクアマリン、シトリン、アメトリン、ガーネット、ツァボライト、デマントイド、マンダリンガーネット、トルマリン、ルベライトトルマリン、グリーントルマリン、パライバトルマリン、イエロートルマリン、ブルートルマリン、マルチカラートルマリン、タンザナイト、ラピスラズリー、サファイヤ、クォーツ、ヒスイ、ジルコン、アイオライト、スピネル、ファイヤーオパール、ムーンストーン、アレキサンドライト、クリソベリル、クンツアイト、ベリル、モルガナイト、クロムダイオプサイド、アンダルサイト、琥珀、トルコ石、サンゴ、アゲート、オニックス、ブラッドストーン、ジャスパー、パール、ダイヤモンドなどの宝石を埋め込む為の加工を施す事により、多様なデザイン性や付加価値を付けることができ、廃棄処分となる真珠の利用を可能となる。また、多様なデザインが可能となる為、新しい購買のマーケットが開ける。
【図面の簡単な説明】
【０００８】
【図１】本考案の実施の形態による装飾真珠の一構成例を示した外観図である。
【図２】本考案の実施の形態による装飾真珠の別の一構成例を示した外観図である。
【考案を実施するための形態】
【０００９】
真珠の表面にマスキングを施し、ガラス、シルバー、プラチナ、ジルコニア、金などの貴金属や、エメラルド、ルビー、サファイヤ、アメジスト、オパール、トパーズ、ペリドット、アクアマリン、シトリン、アメトリン、ガーネット、ツァボライト、デマントイド、マンダリンガーネット、トルマリン、ルベライトトルマリン、グリーントルマリン、パライバトルマリン、イエロートルマリン、ブルートルマリン、マルチカラートルマリン、タンザナイト、ラピスラズリー、サファイヤ、クォーツ、ヒスイ、ジルコン、アイオライト、スピネル、ファイヤーオパール、ムーンストーン、アレキサンドライト、クリソベリル、クンツアイト、ベリル、モルガナイト、クロムダイオプサイド、アンダルサイト、琥珀、トルコ石、サンゴ、アゲート、オニックス、ブラッドストーン、ジャスパー、パール、ダイヤモンドなどの宝石を容易に真珠の表面に埋め込み易くする為、レーザーマーカー、サンドブラスト、ドリリングマシーン、グラインダー、ルーター、ミーリングなどを用いて真珠の表面を削ったり、他の宝石や貴金属を埋め込む為の貫通しない穴を作ったり、他の宝石や貴金属を埋め込む為の溝を真珠の表面に掘ったりする。
【００１０】
図１は、本考案の実施の形態による装飾真珠の一構成例を示した外観図である。装飾真珠１００には、複数のリング状の溝１が設けられ、この溝１に貴金属又は宝石が埋め込まれている。この様にして貴金属又は宝石を埋め込むことにより、真珠のデザイン性を向上させることができる。
【００１１】
図２は、本考案の実施の形態による装飾真珠の他の構成例を示した外観図である。装飾真珠２００には、非貫通穴として複数の窪み部２が設けられ、これらの窪み部２に貴金属又は宝石が埋め込まれている。この様にしてガラス、シルバー、プラチナ、ジルコニア、金などの貴金属や、エメラルド、ルビー、サファイヤ、アメジスト、オパール、トパーズ、ペリドット、アクアマリン、シトリン、アメトリン、ガーネット、ツァボライト、デマントイド、マンダリンガーネット、トルマリン、ルベライトトルマリン、グリーントルマリン、パライバトルマリン、イエロートルマリン、ブルートルマリン、マルチカラートルマリン、タンザナイト、ラピスラズリー、サファイヤ、クォーツ、ヒスイ、ジルコン、アイオライト、スピネル、ファイヤーオパール、ムーンストーン、アレキサンドライト、クリソベリル、クンツアイト、ベリル、モルガナイト、クロムダイオプサイド、アンダルサイト、琥珀、トルコ石、サンゴ、アゲート、オニックス、ブラッドストーン、ジャスパー、パール、ダイヤモンドなどの宝石を埋め込むことにより、真珠に多彩な装飾を施すことができる。
【符号の説明】
【００１２】
１      溝
２      窪み部
１００  装飾真珠
２００  装飾真珠
【図１】
0003163798.tif 000003
【図２】
0003163798.tif 000004
【手続補正書】
【提出日】平成22年5月31日(2010.5.31)
【手続補正１】
【補正対象書類名】実用新案登録請求の範囲
【補正対象項目名】全文
【補正方法】変更
【補正の内容】
【実用新案登録請求の範囲】
【請求項１】
真珠の表面にガラス、シルバー、プラチナ、ジルコニア、金などの貴金属や、エメラルド、ルビー、サファイヤ、アメジスト、オパール、トパーズ、ペリドット、アクアマリン、シトリン、アメトリン、ガーネット、ツァボライト、デマントイド、マンダリンガーネット、トルマリン、ルベライトトルマリン、グリーントルマリン、パライバトルマリン、イエロートルマリン、ブルートルマリン、マルチカラートルマリン、タンザナイト、ラピスラズリー、サファイヤ、クォーツ、ヒスイ、ジルコン、アイオライト、スピネル、ファイヤーオパール、ムーンストーン、アレキサンドライト、クリソベリル、クンツアイト、ベリル、モルガナイト、クロムダイオプサイド、アンダルサイト、琥珀、トルコ石、サンゴ、アゲート、オニックス、ブラッドストーン、ジャスパー、パール、ダイヤモンドなどの宝石を埋め込み易いように、サンドブラスト、レーザーマーカー、ドリリングマシーン、グラインダー、ルーター、ミーリングなどを用いて上記真珠の表面を加工し、上記真珠に上記貴金属又は上記宝石の装飾が施されたことを特徴とする装飾真珠。
【手続補正２】
【補正対象書類名】明細書
【補正対象項目名】０００５
【補正方法】変更
【補正の内容】
【０００５】
真珠の表面にガラス、シルバー、プラチナ、ジルコニア、金などの貴金属や、エメラルド、ルビー、サファイヤ、アメジスト、オパール、トパーズ、ペリドット、アクアマリン、シトリン、アメトリン、ガーネット、ツァボライト、デマントイド、マンダリンガーネット、トルマリン、ルベライトトルマリン、グリーントルマリン、パライバトルマリン、イエロートルマリン、ブルートルマリン、マルチカラートルマリン、タンザナイト、ラピスラズリー、サファイヤ、クォーツ、ヒスイ、ジルコン、アイオライト、スピネル、ファイヤーオパール、ムーンストーン、アレキサンドライト、クリソベリル、クンツアイト、ベリル、モルガナイト、クロムダイオプサイド、アンダルサイト、琥珀、トルコ石、サンゴ、アゲート、オニックス、ブラッドストーン、ジャスパー、パール、ダイヤモンドなどの宝石を埋め込み易いように、サンドブラスト、レーザーマーカー、ドリリングマシーン、グラインダー、ルーター、ミーリングなどを用いて上記真珠の表面を加工し、上記真珠に上記貴金属又は上記宝石の装飾が施されたことを特徴とする装飾真珠。